(57)【要約】【課題】  印刷処理時において、印刷処理が可能な状態になる時間を予測した上で、定着部に供給する電圧を制御し、印刷処理を実行することで、消費電力の低減を可能とした画像形成装置を提供する。【解決手段】  エンジンＣＰＵ１５は、温度センサ２０のフィードバックによりヒータ１９が目標温度に到達したことが通知されてから、コントローラ制御部１１により印刷処理が可能な状態であること（印刷処理を開始することが可能であること）が通知されるまでの時間を計測し、メモリ１３に記憶する。エンジンＣＰＵ１５は、メモリ１３に記憶した計測時間より頻度数を算出し、その頻度数に応じて経過時間を予測し、予測した経過時間に応じて定着部１８に供給する電圧を制御することで、画像形成装置１００の消費電力を低減する。【選択図】図１
2015176127.tif 000002
【特許請求の範囲】
【請求項１】
定着部の温度が所定の温度に到達したとき画像データの画像処理を行い、画像処理した画像データで印刷処理を行う画像形成装置であって、
定着部の温度を検出する温度検出手段と、
前記温度検出手段により検出された温度が所定の温度に到達してから印刷処理が可能になるまでの経過時間を計測する経過時間計測手段と、
前記経過時間計測手段により計測された前記経過時間に応じて前記経過時間を予測し、予測した前記経過時間を含む経過時間帯に応じて定着部に供給する電圧の供給制御を行う電圧供給制御手段と、
を有する画像形成装置。
【請求項２】
請求項１に記載された画像形成装置において、
前記経過時間計測手段により計測された前記経過時間を含む所定の経過時間帯毎の計測頻度を算出する頻度算出手段を有し、
前記電圧供給制御手段は、前記頻度算出手段により算出された計測頻度に応じて前記経過時間を予測し、予測した前記経過時間を含む経過時間帯に応じて定着部に供給する電圧の供給制御を行う画像形成装置。
【請求項３】
請求項２に記載された画像形成装置において、
前記電圧供給制御手段は、前記計測頻度における最頻値となる経過時間帯においてのみ、定着部に電圧を供給するよう電圧の供給制御を行う画像形成装置。
【請求項４】
請求項２に記載された画像形成装置において、
前記電圧供給制御手段は、前記計測頻度において計測頻度数が所定値以上である経過時間帯においてのみ、定着部に供給する電圧の供給制御を行う画像形成装置。
【請求項５】
請求項２に記載された画像形成装置において、
前記電圧供給制御手段は、前記計測頻度において計測頻度数が所定値以上である経過時間帯が所定数以上である場合に、各経過時間帯における測定頻度数／総頻度数に応じて、定着部に供給する電圧の供給制御を行う画像形成装置。
【請求項６】
定着部の温度が所定の温度に到達したとき画像データの画像処理を行い、画像処理した画像データで印刷処理を行う画像形成装置の電圧供給制御方法であって、
定着部の温度を検出する温度検出工程と、
前記温度検出工程において検出された温度が所定の温度に到達してから印刷処理が可能になるまでの経過時間を計測する経過時間計測工程と、
前記経過時間計測工程において計測された前記経過時間に応じて前記経過時間を予測し、予測した前記経過時間を含む経過時間帯に応じて定着部に供給する電圧の供給制御を行う電圧供給制御工程と、
を有する画像形成装置の電圧供給制御方法。
【発明の詳細な説明】
【技術分野】
【０００１】
本発明は、定着部に供給する電圧を供給制御する画像形成装置及び画像形成装置の電圧供給制御方法に関する。
【背景技術】
【０００２】
従来から、印刷処理時において、定着部の表面温度を温度センサ等により検出し、その検出温度に応じて、定着部に対する単位時間当たりの通電時間の割合（点灯デューティ比）を変更することで、定着部の表面温度を目標温度に合わせ、維持するように制御する画像形成装置が知られている。
【０００３】
この画像形成装置では、定着部において検出された温度と、予め画像形成装置に記憶した目標温度との差分を算出し、差分の程度に応じて点灯デューティ比を設定し、その点灯デューティ比で制御した電圧を定着部に供給することで、定着部の表面温度を目標温度に合わせている（維持している）。
また、定着部の温度に応じて点灯デューティ比を制御することで、過剰な電圧の供給を制限することができるため、画像形成装置としての消費電力を低減（安定）させることができる。
【０００４】
このような画像形成装置として、例えば、定着部の表面温度に応じた温度対応点灯デューティ比と外部電源の電圧に応じた電力対応点灯デューティ比とを比較することにより点灯デューティ比を設定し、その点灯デューティ比に制御した電圧を定着部に供給する画像形成装置が知られている（特許文献１）。
【０００５】
しかしながら、特許文献１に記載された画像形成装置は、画像形成装置の最大消費電力を超過させないように、消費電力を安定させることを目的とするものであり、消費電力を低減させることは考慮されていない。また、特許文献１に記載された画像形成装置は、レンダリング処理の対象となるプリントデータのデータ量やプリントジョブを受け付けるタイミングに起因して生じる、定着部の表面温度が目標温度に到達してから印刷処理が可能な状態になるまでの時間（経過時間）のばらつきを考慮していない。
そのため、特許文献１に記載された画像形成装置では、印刷処理時において、定着部の表面温度を目標温度に維持するために、必要以上の電力を消費することとなる。
【発明の概要】
【発明が解決しようとする課題】
【０００６】
本発明は、前記従来の問題に鑑みてなされたものであって、その目的は、画像形成装置の印刷処理時において、定着部の表面温度を目標温度に維持するのに必要な電力消費を低減することである。
【課題を解決するための手段】
【０００７】
本発明は、定着部の温度が所定の温度に到達したとき画像データの画像処理を行い、画像処理した画像データで印刷処理を行う画像形成装置であって、定着部の温度を検出する温度検出手段と、前記温度検出手段により検出された温度が所定の温度に到達してから印刷処理が可能になるまでの経過時間を計測する経過時間計測手段と、前記経過時間計測手段により計測された前記経過時間に応じて前記経過時間を予測し、予測した前記経過時間を含む経過時間帯に応じて定着部に供給する電圧の供給制御を行う電圧供給制御手段と、を有する画像形成装置である。
【発明の効果】
【０００８】
本発明によれば、画像形成装置の印刷処理時において定着部の表面温度を目標温度に維持するのに必要な電力消費を低減することができる。
【図面の簡単な説明】
【０００９】
【図１】本発明の実施形態に係る画像形成装置の機能ブロック図である。
【図２】本発明の実施形態に係る画像形成装置が省エネルギー状態から復帰してから、プリント可能通知がなされるまでの流れを示す図である。
【図３】本発明の実施形態に係る画像形成装置のヒータに供給する電圧を示す図である。
【図４】本発明の実施形態に係る画像形成装置のメモリに蓄積されたプリントジョブと、その処理順序を示す。
【図５】本発明の実施形態に係る画像形成装置において、１プリントジョブ時間内になされたプリント可能通知の回数を単位時間ごとの頻度分布として示した図である。
【図６】実施形態１に係る画像形成装置のヒータに供給する電圧の点灯デューティ比を示す図である。
【図７】実施形態２に係る画像形成装置のヒータに供給する電圧の点灯デューティ比を示す図である。
【図８】実施形態３に係る画像形成装置のヒータに供給する電圧の点灯デューティ比を示す図である。
【発明を実施するための形態】
【００１０】
以下、本発明の実施形態について図面を参照して説明する。
図１は、本実施形態に係る画像形成装置の内部構成を示した機能ブロック図である。
画像形成装置１００は、図１に示すように、外部インタフェース（Ｉ／Ｆ）１０、コントローラ制御部１１、エンジン制御部１４、定着部１８から主に構成される。
【００１１】
外部インタフェース１０は、（不図示の）外部装置と画像形成装置１００内部に実装されるコントローラ制御部１１とを接続するためのインタフェースであり、外部装置より画像データを読み込むと、コントローラ制御部１１に転送する。また、外部インタフェース１０は、画像データが入力されると、コントローラ制御部１１にプリントジョブを通知（又は発行）する。
【００１２】
コントローラ制御部１１は、画像処理装置１２と、メモリ１３から構成される。
画像処理装置１２は、外部インタフェース１０により転送された画像データ、及び外部インタフェース１０により通知されたプリントジョブ（プリント指示の内容；例えば、カラー２０枚、片面、普通紙Ａ４等）を、一時的にメモリ１３に記憶（保存）する。
【００１３】
画像処理装置１２は、ヒータ１９が目標温度に到達すると、メモリ１３に格納されたプリントジョブに従って、メモリ１３に記憶された画像データに対して、デジタル信号処理等の画像処理を実行する（即ち、コントローラ制御部１１は、温度センサ２０によりヒータ１９の温度が目標温度に到達したことが通知されると、プリントジョブに基づく画像処理などのジョブを実行する）。そして、プリントジョブなどのジョブが終了すると、画像処理装置１２は、その処理結果をエンジン制御部１４に送信し、また印刷処理が可能な状態にあることをエンジン制御部１４に通知する（具体的には、エンジン制御部１４にプリント可能通知（ＰＧＯ通知）を通知する）。
【００１４】
エンジン制御部１４は、エンジンＣＰＵ１５と、メモリ１６と、ヒータ駆動回路１７から構成される。
エンジンＣＰＵ１５は、画像形成装置１００に画像データが入力されると、ヒータ１９の温度を目標温度に設定するために、ヒータ駆動回路１７を制御して、ヒータ１９に電圧を供給する。そして、後述の温度センサ２０よりヒータ１９の温度が目標温度に到達したことが通知されると、エンジンＣＰＵ１５は、ヒータ１９の温度が目標温度で保たれるように、ヒータ１９に供給する電圧の点灯デューティ比を制御する（ヒータ１９をＯＮ／ＯＦＦして電圧の供給制御を行う）。
【００１５】
また、エンジンＣＰＵ１５は経過時間計測手段を備え、温度センサ２０よりヒータ１９の温度が目標温度に到達したことが通知されてから、画像処理装置１２よりプリント処理が可能であることが通知されるまでの時間（ＰＧＯ通知までの時間）を計測し、計測結果をメモリ１６に記憶する。
【００１６】
さらに、エンジンＣＰＵ１５は、頻度数算出手段（頻度算出手段）を備え、メモリ１６に記憶した計測結果、つまり、ヒータ１９が目標温度に到達してから、ＰＧＯ通知までの時間、即ち、プリント処理が可能な状態になるまでの時間（経過時間）に基づき、所定の経過時間幅（時間帯）ごとに計測回数（頻度数）を算出し、その頻度数に応じてプリント処理が可能になる時間（時間帯）を予測し、当該時間帯（時間間隔）においてヒータ１９に電圧を供給することで、ヒータ１９に供給する電圧の点灯デューティ比を制御する。
【００１７】
メモリ１６は、ヒータ駆動回路１７を制御する（ヒータ１９に供給する電圧の点灯デューティ比を制御する）上で必要とされる情報と、ヒータ１９が目標温度に到達したことが通知されてから、プリント処理が可能な状態にあることが通知されるまでの時間を記憶する。また、メモリ１６は、エンジンＣＰＵ１５により算出された（ヒータ１９が目標温度に到達してから、プリント処理が可能な状態になるまでの時間の）頻度数も記憶する。
【００１８】
ヒータ駆動回路１７は、ヒータ１９を駆動させるための回路（ヒータ１９に電圧を供給するための回路）であり、エンジンＣＰＵ１５により制御される。
定着部１８は、サーマルヘッド等の発熱素子を主走査方向に複数備えたヒータ１９と、ヒータの温度を検出する、サーモパイル等の温度センサ２０から構成される。
温度センサ２０は、ヒータ１９を構成する各加熱体の温度を監視し、監視結果（温度）をエンジンＣＰＵ１５にフィードバックする。
【００１９】
次に、図２を用いて、画像形成装置１００が省エネルギー状態から復帰してから、コントローラ制御部１１によりプリント処理が可能であることの通知（ＰＧＯ通知）が通知されるまでの処理の流れを説明する。
なお、コントローラ制御部１１によりＰＧＯ通知がなされると、画像形成装置１００は、印刷処理を実行する。
【００２０】
画像形成装置１００が省エネルギー状態にあるとき、外部インタフェース１０より画像データが入力されると、同時にコントローラ制御部１１に当該画像データに関するプリントジョブが通知される。
コントローラ制御部１１は、プリントジョブが通知されると、プリントジョブをメモリ１３に格納し、エンジン制御部１４を通常のエネルギー状態に復帰させるため、エンジン立ち上げ信号（ＰＯＮＥＮＧ信号）をエンジン制御部１４に送信する。
【００２１】
エンジン制御部１４は、通常のエネルギー状態に復帰すると、定着部１８を立ち上げるため、つまり、ヒータ１９を目標温度にするために、図３Ａに示すような、画像形成装置１００のＡＣ電源に供給された電源電圧（１００Ｖｒｍｓ）を、ヒータ駆動回路１７を介して、図３Ｂに示すように、点灯デューティ比を例えば１００％に制御して、ヒータ１９に供給する。
ヒータ駆動回路１７によりヒータ１９が駆動されると、ヒータ１９の近傍に設置される温度センサ２０は、ヒータ１９の温度を監視し、監視結果（温度）をエンジンＣＰＵ１５にフィードバックする。
【００２２】
エンジンＣＰＵ１５は、温度センサ２０のフィードバックによりヒータ１９が目標温度に到達したことを表す信号を受信すると、その信号をコントローラ制御部１１に送信する。また、それと共に、ヒータ１９の温度（目標温度）を維持するために、図３Ｃに示すような、点灯デューティ比を例えば７０％に制御した電圧をヒータ１９に供給する。
エンジンＣＰＵ１５は、図３Ｃに示すように、ヒータ１９に供給する電圧の点灯デューティ比を特定の周期で制御している。図３Ｃでは、図示の制御周期において、網掛けされた時間にのみ電圧を供給することで、（点灯デューティ比を１００％に制御した場合に比べて）消費電力量を７０％に低減している。
なお、立ち上げ時の点灯デューティ比は、ヒータ１９を所定時間内に目標温度にまで加熱できるのであれば、必ずしも１００％に限定されず、また、ヒータ１９の温度についても、それが維持できるのであれば、必ずしも７０％に限定されない。
【００２３】
コントローラ制御部１１は、既に述べたように、エンジン制御部１４よりヒータ１９が目標温度に到達したことを表す信号を受信すると、プリントジョブに基づく画像処理を実行し、画像処理が完了した段階、つまり、プリント処理が可能な状態になった段階でＰＧＯ通知を通知する。
したがって、コントローラ制御部１１が、ヒータ１９が目標温度に到達したことを表す信号を受信してから、ＰＧＯ通知を通知するまでの時間は、画像処理装置１２でのプリントデータ量に応じたレンダリング処理、またプリントジョブを受け付けた時の処理状況に起因してばらつくことがある。
【００２４】
例えば、図４Ａに示すように、メモリ１３に格納されたプリントジョブのデータ量が多い場合は、データ量に比例して、画像処理装置１２での画像処理に多くの時間がかかることから、ＰＧＯ通知が通知されるまでの時間は、プリントジョブのデータ量が少ない場合に比べて遅くなる。
また、画像処理装置１２は受け付けたジョブを受け付けた順番に従って処理することから、図４Ｂに示すように、プリントジョブの前に、プリントジョブ以外の他のジョブが既に投入されている場合、ＰＧＯ通知が通知されるまでの時間は、他にジョブが投入されていない場合に比べて遅くなる。
【００２５】
したがって、ＰＧＯ通知を通知するまでの時間が延びると、それに伴って電力が消費される。そこで、ＰＧＯ通知が通知されるまでの時間を予測することができれば、その予測結果に基づいて、ヒータ１９に供給する電圧の点灯デューティ比を制御することができ、それによって、消費電力を低減することができる。
本実施形態では、エンジン制御部１４が、ヒータ１９が目標温度に到達したことを信号として受信してからＰＧＯ通知が通知されるまでの時間の予測手法として、ユーザによる画像形成装置１００の使用傾向を用いる手法、具体的には、時間毎のＰＧＯ通知が通知される頻度数を算出して、それを利用して、ヒータ１９に供給する電圧の点灯デューティ比を制御する手法を採用したので、以下、これについて説明する。
【００２６】
図５は、１プリントジョブ時間ＴにおけるＰＧＯ通知がなされた回数の分布を示している。
エンジンＣＰＵ１５は、１プリントジョブ時間Ｔの各単位時間帯ｔにおけるＰＧＯ通知の回数をカウントし、ＰＧＯ通知の回数を各単位時間帯ｔごとにメモリ１６に記録する。エンジンＣＰＵ１５は、記録したＰＧＯ通知の各単位時間帯ｔごとの回数（以下、ＰＧＯ通知頻度数）から、例えば、図５に示すような１プリントジョブ時間ＴにおけるＰＧＯ通知がなされた各単位時間帯ｔごとのＰＧＯ通知頻度数の分布（ＰＧＯ通知頻度分布）を作成する。
【００２７】
ＰＧＯ通知頻度数の算出にあたっては、１回のプリントジョブから算出してもよいし、ＰＧＯ通知が通知される時間の予測精度を向上させるために複数回のプリントジョブから平均値を取って算出してもよい。また、ユーザが画像形成装置１００を使用する度にＰＧＯ通知頻度数の平均値を算出すれば、使用する回数に応じて、ＰＧＯ通知が通知されるまでの時間の予測精度を向上させることができ、消費電力をより一層低減させることができる。
【００２８】
次に、実施形態１〜実施形態３として、エンジン制御部１４が、ヒータ１９が目標温度に到達したことを信号として受信してからＰＧＯ通知を通知するまでの時間を、ＰＧＯ通知頻度数から予測する方法と、その予測方法に応じてヒータ１９を制御する方法を説明する。
実施形態１では、ＰＧＯ通知頻度数から、ＰＧＯ通知回数が最も多い時間にＰＧＯ通知が通知されると予測し、その時間にのみ、ヒータ１９に電圧を供給する。
実施形態２では、ＰＧＯ通知頻度数から、ＰＧＯ通知回数が所定の回数を超える時間とその時間（時間帯）の数を算出し、その時間（時間帯）の数が所定の数以下である場合に、当該時間（時間帯）にＰＧＯ通知が通知されると予測し、その時間に合わせてヒータ１９に電圧を供給する。
実施形態３では、ＰＧＯ通知頻度数から、ＰＧＯ通知回数が所定の回数を超える時間とその時間（時間帯）の数を算出し、その時間（時間帯）の数が所定の数より多い場合に、単位時間ｔにおけるＰＧＯ通知回数及び１プリントジョブ時間ＴにおけるＰＧＯが通知された総数に応じて、ヒータ１９に電圧を供給する。
【００２９】
（実施形態１）
本実施形態では、エンジンＣＰＵ１５は、ＰＧＯ通知頻度数から、ＰＧＯ通知回数が最も多い時間にＰＧＯ通知が通知されると予測し、その時間にのみ、ヒータ１９に（点灯デューティ比を制御した）電圧を供給する。
【００３０】
図６ＡはＰＧＯ通知頻度分布を示している。
図６Ｂは、従来の画像形成装置における、ヒータ１９に供給する電圧の点灯デューティ比を示している。
図６Ｃは、本実施形態に係る画像形成装置１００における、ＰＧＯ通知頻度数に対応させた、ヒータ１９に供給する電圧の点灯デューティ比を示している。
【００３１】
エンジンＣＰＵ１５は、図６Ａにおいて、１プリントジョブ時間Ｔに最もＰＧＯ通知回数が多くなる時間（時間帯）に、図６Ｃに示すように、点灯デューティ比を例えば１００％に制御して、ヒータ１９に電圧を供給する（ヒータ１９をＯＮに制御する）。
本実施形態において、画像形成装置１００は、ＰＧＯ通知頻度数に応じてヒータ１９に供給する電圧及びその点灯デューティ比を制御することで、従来の画像形成装置（図６Ｂ）に比べて、約１４％まで消費電力を低減することができる。
【００３２】
（実施形態２）
本実施形態では、エンジンＣＰＵ１５は、ＰＧＯ通知頻度数から、ＰＧＯ通知回数が所定の回数を超える時間とその時間（時間帯）の数を算出し、その時間（時間帯）の数が所定の数以下である場合に、その時間にＰＧＯ通知が通知されると予測し、その時間に合わせてヒータ１９に（点灯デューティ比を制御した）電圧を供給する。
【００３３】
図７Ａは、ＰＧＯ通知頻度分布を示しており、ＰＧＯ通知頻度分布は二極化している。
図７Ｂは、従来の画像形成装置における、ヒータ１９に供給する電圧の点灯デューティ比を示している。
図７Ｃは、本実施形態に係る画像形成装置１００における、ＰＧＯ通知頻度数に対応させた、ヒータ１９に供給する電圧の点灯デューティ比を示している。
【００３４】
ここで、エンジンＣＰＵ１５は、ある単位時間ｔにおけるＰＧＯ通知回数が多いか（集中しているか）否かを判定するためのＰＧＯ通知集中判定パラメータｎと、ＰＧＯ通知回数が多いと判定された時間（時間帯）の数よりＰＧＯ通知頻度数が分散しているか否かを判定するためのＰＧＯ通知分散判定パラメータａを保持している。
なお、ＰＧＯ通知集中判定パラメータｎ及びＰＧＯ通知分散判定パラメータａは、ＰＧＯ通知頻度数の算出結果等から、任意に設定することができる。
【００３５】
エンジンＣＰＵ１５は、先ず、ＰＧＯ通知頻度数から、ある単位時間ｔにおけるＰＧＯ通知回数がＰＧＯ通知集中判定パラメータｎより多いか否かを判定する。エンジンＣＰＵ１５は、ＰＧＯ通知回数がＰＧＯ通知集中判定パラメータｎより多いと判定すると、次に、ＰＧＯ通知回数がＰＧＯ通知集中判定パラメータｎより多いと判定した時間（時間帯）の数が、ＰＧＯ通知分散判定パラメータａ以下であるか否かを判定する。
そして、ＰＧＯ通知回数がＰＧＯ通知集中判定パラメータｎより多いと判定した時間（時間帯）の数がＰＧＯ通知分散判定パラメータａ以下であると判定すると、エンジンＣＰＵ１５は、ＰＧＯ通知回数がＰＧＯ通知集中判定パラメータｎより多いと判定した時間に、点灯デューティ比を例えば１００％に制御して、ヒータ１９に電圧を供給する（ヒータ１９をＯＮに制御する）。
【００３６】
本実施形態において、画像形成装置１００は、ＰＧＯ通知頻度数に応じてヒータ１９に供給する電圧及びその点灯デューティ比を制御することで、従来の画像形成装置（図７Ｂ）に比べて、約２８％まで消費電力を低減することができる。
【００３７】
また、本実施形態に係る画像形成装置１００は、１プリントジョブ時間Ｔにおいて、ＰＧＯが通知される時間にズレが生じても、電力消費を抑えた上で、ＰＧＯが通知されたタイミングで印刷することができる。
本実施形態では、図７Ａに示すように、ＰＧＯ通知回数がＰＧＯ通知集中判定パラメータｎよりも多いと判定された時間（時間帯）が２箇所あり、ＰＧＯ通知頻度数は２極化することになるが、エンジンＣＰＵ１５は、各々の時間でヒータ１９に電圧を供給することから、どちらのタイミングでＰＧＯ通知がされても、通常の起動時間で印刷することができる。
【００３８】
（実施形態３）
本実施形態では、エンジンＣＰＵ１５は、ＰＧＯ通知頻度数から、ＰＧＯ通知回数が所定の回数を超える時間とその時間（時間帯）の数を算出し、その時間（時間帯）の数が所定の数より多い場合に、単位時間ｔにおけるＰＧＯ通知回数及び１プリントジョブ時間ＴにおけるＰＧＯが通知された総数に応じて、ヒータ１９に（点灯デューティ比を制御した）電圧を供給する。
【００３９】
図８ＡはＰＧＯ通知頻度分布を示しており、ＰＧＯ通知頻度分布は（図８Ａに示すように）分散している。
図８Ｂは、従来の画像形成装置における、ヒータ１９に供給する電圧の点灯デューティ比を示している。
図８Ｃは、本実施形態に係る画像形成装置１００における、ＰＧＯ通知頻度数に対応させた、ヒータ１９に供給する電圧の点灯デューティ比を示している。
【００４０】
エンジンＣＰＵ１５は、先ず、ＰＧＯ通知頻度数から、ある単位時間ｔにおけるＰＧＯ通知回数がＰＧＯ通知集中判定パラメータｎより多いか否かを判定する。エンジンＣＰＵ１５は、ＰＧＯ通知回数がＰＧＯ通知集中判定パラメータｎより多いと判定すると、次に、ＰＧＯ通知回数がＰＧＯ通知集中判定パラメータｎより多いと判定した時間（時間帯）の数が、ＰＧＯ通知分散判定パラメータａより多いか否かを判定する。
そして、ＰＧＯ通知回数がＰＧＯ通知集中判定パラメータｎより多いと判定した時間（時間帯）の数がＰＧＯ通知分散判定パラメータａより多いと判定すると、エンジンＣＰＵ１５は、単位時間ｔにおけるＰＧＯ通知回数をｘ、１プリントジョブ時間ＴにおけるＰＧＯ通知回数の総数をｙとして、その単位時間（時間帯）ｔにおける点灯デューティ比をｘ／ｙ×１００％に制御して、ヒータ１９に電圧を供給する。
【００４１】
本実施形態において、ＰＧＯ通知分散判定パラメータａを「３」に設定した場合、エンジンＣＰＵ１５は、図８Ａに示すようにＰＧＯ通知回数がＰＧＯ通知集中判定パラメータｎより多い時間（時間帯）が６箇所あることから、ＰＧＯ通知頻度数が分散していると判定する。エンジンＣＰＵ１５は、ＰＧＯ通知頻度数が分散していると判定すると、単位時間ｔにおけるＰＧＯ通知回数及び１プリントジョブ時間ＴにおけるＰＧＯ通知回数の総数より、点灯デューティ比を制御してヒータ１９に電圧を供給する。
【００４２】
本実施形態において、画像形成装置１００は、ＰＧＯ通知頻度数に応じてヒータ１９に供給する電圧のデューティ比を制御することで、従来の画像形成装置（図８Ｂ）に比べて、図８Ｃに示すように消費電力を低減することができる。
実施形態１、及び実施形態２における画像形成装置１００において、（ＰＧＯ通知頻度数との関係で）消費電力をあまり低減することができない場合であっても、本実施形態に係る画像形成装置１００のように点灯デューティ比を制御して、ヒータ１９に電圧を供給することで、消費電力を相応に低減することができる。
【００４３】
以上、説明したように、本発明の実施形態に係る画像形成装置によれば、印刷処理時において、印刷処理が可能な状態になる時間を予測した上で、定着部に供給する電圧の供給制御を行うことで、消費電力を低減することができる。
また、実施形態１〜実施形態３に示すように、ＰＧＯ通知頻度数に基づき予測した経過時間帯に応じて点灯デューティ比を制御することで、消費電力を適切に低減することができる。
なお、以上の実施形態の説明では、経過時間計測手段により計測された経過時間を含む所定の経過時間帯を設け、各経過時間帯毎の計測頻度を算出する頻度算出手段を有し、電圧供給制御手段は、頻度算出手段により算出された計測頻度に応じて経過時間を予測するものとしているが、必ずしも頻度数を算出するものに限定されず、例えば所定計測回数時における計測された経過時間の平均値であってもよい。
【符号の説明】
【００４４】
１０…外部インタフェース、１１…コントローラ制御部、１２…画像処理装置、１３…メモリ、１４…エンジン制御部、１５…エンジンＣＰＵ、１６…メモリ、１７…ヒータ駆動回路、１８…定着部、１９…ヒータ、２０…温度センサ、１００…画像形成装置。
【先行技術文献】
【特許文献】
【００４５】
【特許文献１】特許公開２００５−２６６４５４号公報
【図１】
2015176127.tif 000003
【図２】
2015176127.tif 000004
【図３】
2015176127.tif 000005
【図４】
2015176127.tif 000006
【図５】
2015176127.tif 000007
【図６】
2015176127.tif 000008
【図７】
2015176127.tif 000009
【図８】
2015176127.tif 000010